(57)【要約】【課題】固定具とカバー本体をより容易かつ安定して固定できる配管カバーを提供すること。【解決手段】壁面１１に沿って設置される配管１０を覆う配管カバー１であって、壁面１１側に開口するカバー本体３と、壁面１１に取り付けられ、カバー本体３を固定する固定具２と、を備え、カバー本体３の上部には、下方に延出する延出部３４が設けられ、壁面１１に取り付けられる固定具２の上部又は固定具２の上部と壁面１１との間に、延出部３４を差し込み可能な溝６を形成する配管カバー１である。【選択図】図１
2015183812.tif 000002
【特許請求の範囲】
【請求項１】
壁面に沿って設置される配管を覆う配管カバーであって、
前記壁面側に開口するカバー本体と、
前記壁面に取り付けられ、前記カバー本体を固定する固定具と、を備え、
前記カバー本体の上部には、下方に延出する延出部が設けられ、
前記壁面に取り付けられる前記固定具の上部又は前記固定具の上部と前記壁面との間に、前記延出部を差し込み可能な溝を形成する配管カバー。
【請求項２】
前記固定具には、前記溝に差し込まれた前記延出部を保持する保持部が設けられる請求項１に記載の配管カバー。
【請求項３】
前記溝は、前記固定具の上部と前記壁面との間に形成され、前記保持部は、前記壁面側に弾性変形可能であることにより、前記延出部を前記壁面側に付勢する請求項２に記載の配管カバー。
【請求項４】
前記固定具は、
前記壁面に取り付けられる取り付け部と、
前記取り付け部から延出する配管支持部と、を備える請求項１から３のいずれか１項に記載の配管カバー。
【請求項５】
前記固定具は、前記配管支持部の先端側から立ち上がる立ち上がり部をさらに備え、
前記立ち上がり部の外側面と、前記延出部が前記溝に差し込まれた状態において前記外側面に対向する前記カバー本体の内側面とには、互いを着脱自在に固定する固定部材が取り付けられる請求項４に記載の配管カバー。
【請求項６】
前記延出部が前記溝に差し込まれた状態において、前記固定具の底面部と前記カバー本体の底面部との間に隙間が形成される請求項１から５のいずれか１項に記載の配管カバー。
【請求項７】
前記カバー本体は、中空部材で構成される請求項１から６のいずれか１項に記載の配管カバー。
【請求項８】
便器と、該便器と離隔した位置に配置される手洗い器と、を有する手洗い器付き便器であって、
前記便器と前記手洗い器との間に配置される前記配管を覆う請求項１から７のいずれか１項に記載の配管カバーが取り付けられた手洗い器付き便器。
【発明の詳細な説明】
【技術分野】
【０００１】
本発明は、配管カバーに関する。具体的には、壁面に取り付けられる配管を覆う配管カバーに関する。
【背景技術】
【０００２】
従来、空調や排水等のために設置される配管は、美観や安全性の観点から配管カバーにより覆われることがある。この場合、配管を設置する壁面に固定具を取り付け、この固定具の上に配管が載置される。配管が載置された状態の固定具をカバー本体で覆い、固定具とカバー本体とを係合させることで、配管を覆う配管カバーが知られている（例えば、特許文献１参照）。
【０００３】
特許文献１に記載の配管カバーでは、固定具が設けられた凹状の被係合部と、カバー本体に設けられた凸状の係合部が、いずれも樹脂により形成される。そして、これらの被係合部及び係合部が弾性変形することで、互いに係合する。
【先行技術文献】
【特許文献】
【０００４】
【特許文献１】特開２００７−１３２５７９号公報
【発明の概要】
【発明が解決しようとする課題】
【０００５】
しかしながら、樹脂の弾性変形により被係合部と係合部とを係合させる構成によれば、固定具とカバー本体とを係合させる際に、カバー本体を大きく変形させる必要がある。このため、カバー本体に負荷がかかり、カバー本体が劣化しやすいという問題があった。また、樹脂は環境温度によって伸縮する性質を有するため、樹脂が変形して係合が緩んだり、過度にきつくなる場合があった。
【０００６】
上記の問題に鑑み、本発明は、固定具とカバー本体をより容易かつ安定して固定できる配管カバーを提供することを目的とする。
【課題を解決するための手段】
【０００７】
上記目的を達成するため本発明は、壁面（例えば、後述の壁面１１）に沿って設置される配管（例えば、後述の配管１０）を覆う配管カバー（例えば、後述の配管カバー１）であって、前記壁面側に開口するカバー本体（例えば、後述のカバー本体３）と、前記壁面に取り付けられ、前記カバー本体を固定する固定具（例えば、後述の固定具２）と、を備え、前記カバー本体の上部には、下方に延出する延出部（例えば、後述の延出部３４）が設けられ、前記壁面に取り付けられる前記固定具の上部又は前記固定具の上部と前記壁面との間に、前記延出部を差し込み可能な溝（例えば、後述の溝６）を形成する配管カバーを提供する。
【０００８】
前記固定具には、前記溝に差し込まれた前記延出部を保持する保持部（例えば、後述の保持部２４）が設けられることが好ましい。
【０００９】
前記溝は、前記固定具の上部と前記壁面との間に形成され、前記保持部は、前記壁面側に弾性変形可能であることにより、前記延出部を前記壁面側に付勢することが好ましい。
【００１０】
前記固定具は、前記壁面に取り付けられる取り付け部（例えば、後述の取り付け部２１）と、前記取り付け部から延出する配管支持部（例えば、後述の配管支持部２２）と、を備えることが好ましい。
【００１１】
前記固定具は、前記配管支持部の先端側から立ち上がる立ち上がり部（例えば、後述の立ち上がり部２３）をさらに備え、前記立ち上がり部の外側面（例えば、後述の外側面２３１）と、前記延出部が前記溝に差し込まれた状態において前記外側面に対向する前記カバー本体の内側面（例えば、後述の内側面３３１）とには、互いを着脱自在に固定する固定部材が取り付けられることが好ましい。
【００１２】
前記延出部が前記溝に差し込まれた状態において、前記固定具の底面部と前記カバー本体の底面部との間に隙間（例えば、後述の隙間Ｓ２）が形成されることが好ましい。
【００１３】
前記カバー本体は、中空部材で構成されることが好ましい。
【００１４】
便器と、該便器と離隔した位置に配置される手洗い器と、を有する手洗い器付き便器であって、前記便器と前記手洗い器との間に配置される前記配管を覆う本発明の一側面における配管カバーが取り付けられた手洗い器付き便器であることが好ましい。
【発明の効果】
【００１５】
本発明によれば、固定具とカバー本体をより容易かつ安定して固定できる配管カバーを提供することができる。
【図面の簡単な説明】
【００１６】
【図１】本実施形態の配管カバーを示す斜視図である。
【図２】（ａ）図は、本実施形態の固定具の断面図であり、（ｂ）図は、本実施形態のカバー本体の断面図である。
【図３】本実施形態の配管カバーを取り付けている途中の状態を示す概略図である。
【図４】本実施形態の配管カバーを取り付けた後の状態を示す概略図である。
【図５】本実施形態の配管カバーを取り付ける前の状態を示す斜視図である。
【図６】本実施形態の配管カバーが取り付けられた手洗い器付き便器を示す概略図である。
【図７】本実施形態の変形例に係る配管カバーの断面図である。
【発明を実施するための形態】
【００１７】
以下、本発明の実施形態について、図面を参照しながら詳しく説明する。図１は、本実施形態の配管カバーを示す斜視図である。図１に示すように、配管カバー１は、固定具２と、カバー本体３と、固定部材４と、を有する。
なお、本明細書において、上方又は下方とは、配管カバー１を壁面１１に取り付けた状態における方向を意味する。
【００１８】
図２（ａ）は、本実施形態の固定具２の断面図であり、図２（ｂ）は、カバー本体３の断面図である。
図２（ａ）に示すように、固定具２は、取り付け部２１と、保持部２４と、配管支持部２２と、立ち上がり部２３と、を有する。固定具２は、壁面１１に取り付けられ、壁面１１に沿って設置される配管を支持する。固定具２は、縦長の板状の部材を折り曲げて形成される、壁面１１に沿う方向が長手方向となる金属製の金具である。
【００１９】
取り付け部２１は、長方形の平坦な板状の部材により構成され、板状の部材の平坦な面を壁面１１に当接させて取り付けられる。取り付け部２１は、長手方向の一方と他方に形成される長穴２１ａを有し、長穴２１ａを介してねじ１２により壁面１１に固定される。
【００２０】
保持部２４は、取り付け部２１の上端側に形成される。保持部２４は、跳ね上がり部２４１と、付勢部２４２と、を有する。
跳ね上がり部２４１は、取り付け部２１の上端に配置され、取り付け部２１側の端部２４１ａから、壁面１１から遠ざかる方向へ傾斜して形成される。跳ね上がり部２４１は、取り付け部２１側の端部２４１ａでは、壁面１１寄りに配置されているが、壁面１１とは当接していない。
付勢部２４２は、跳ね上がり部２４１と取り付け部２１の間に配置される。付勢部２４２は、取り付け部２１の上端側から、壁面１１から遠ざかる方向へ膨出し、跳ね上がり部２４１の取り付け部側の端部２４１ａに連続する。
【００２１】
保持部２４は、取り付け部２１から連続し、ばね鋼で形成されている。保持部２４は、固定されていないので、壁面１１から遠ざかる方向へ移動することが可能である。保持部２４は、壁面１１から膨出するとともに、跳ね上がり部２４１の取り付け部側の端部２４１ａで壁面１１側に寄って配置されている。このため、保持部２４を壁面１１から遠ざかる方向へ押す力が働いた場合には、保持部２４が元に戻ろうとし、壁面１１側に向かって付勢する。保持部２４は、特に跳ね上がり部２４１における取り付け部２１側の端部２４１ａに付勢力がかかるように構成されている。
【００２２】
配管支持部２２は、第１配管支持部２２１と、第２配管支持部２２２と、を有する。配管支持部２２は、取り付け部２１から、取り付け部２１の板面が延びる方向に交差する方向へ延出して配管１０を支持する。
【００２３】
第１配管支持部２２１は、取り付け部２１の板面が延びる方向に交差する方向に延出する板状の部分であり、配管１０を支持可能な面積を有する。第１配管支持部２２１は、固定具２の下端部に位置し、固定具２の底面部を構成する。第１配管支持部２２１は、取り付け部２１と同じ幅を有する。また、第１配管支持部２２１は、取り付け部２１の板面が延びる方向に交差する方向に延出する辺が長手方向となる長方形に形成されている。第１配管支持部２２１は、基端側が取り付け部２１に連続し、先端側が取り付け部２１から遠ざかる方に位置している。
【００２４】
第２配管支持部２２２は、第１配管支持部２２１の上方に配置される板状の部分である。第２配管支持部２２２は、取り付け部２１の板面が延びる方向に交差する方向に、第２配管支持部２２２の板面が延びるように配置されている。第２配管支持部２２２は、第１配管支持部２２１に向かって下り傾斜している。
【００２５】
第２配管支持部２２２は、取り付け部２１の板面が延びる方向に交差する方向に延びる辺が第１配管支持部２２１の長手方向の辺よりも短く形成される。第２配管支持部２２２と取り付け部２１との間には、第２配管支持部２２２が第１配管支持部２２１よりも下り傾斜して短く形成された分の隙間Ｓ１が形成されている。
【００２６】
立ち上がり部２３は、第１配管支持部２２１の先端側から上方へ立ち上がるように形成され、上端において第２配管支持部２２２に連続する。立ち上がり部２３は、取り付け部２１よりも低い高さの平坦な面を有する。立ち上がり部２３は、下方に形成されて、取り付け時にねじ１２が挿通する貫通穴２３２を有する。
【００２７】
図２（ｂ）に示すように、カバー本体３は、上面部３１と、底面部３２と、側面部３３と、延出部３４と、突起部３５と、を有する。カバー本体３は、壁面１１側に開口する断面視でＣ字状の形状を有する。カバー本体３は、樹脂により形成されている。
【００２８】
上面部３１は、壁面１１に対して交差する方向に延び、取り付けられた状態で上方に位置する面である。
延出部３４は、上面部３１の壁面１１側の端部から、下方に延出する部分である。
底面部３２は、上面部３１に対向し、取り付けられた状態で下方に位置する面である。
側面部３３は、上面部３１及び底面部３２の壁面１１から遠ざかった側の端部を接続し、壁面１１に対向する面である。側面部３３の壁面に沿う方向の長さは、固定具２の壁面に沿う方向（長手方向）の長さよりも長い。このため、カバー本体３で固定具２を覆った状態では、固定具２の底面部、すなわち第１配管支持部２２１の下面と、底面部３２との間に隙間Ｓ２が形成される（図１参照）。隙間Ｓ２は、上下方向の間隔が、少なくとも延出部３４の上下方向の長さに対応する程度の距離となるように形成されている。
突起部３５は、底面部３２の壁面１１側の端部に形成される断面視半球状の小さな突起である。
【００２９】
図２（ａ）及び図２（ｂ）に示すように、固定部材４は、係合部４１と、被係合部４２と、を有する。固定部材４は、本実施形態では、互いを着脱可能に固定する面ファスナーにより構成される。
係合部４１は、固定具２の立ち上がり部２３における外側面２３１に配置される。係合部４１は、立ち上がり部２３の外側面２３１の上方において、固定具２の幅方向中央側に配置される。係合部４１は、複数のフックにより構成される。
被係合部４２は、カバー本体３が固定具２を覆う際に、立ち上がり部２３の外側面２３１における係合部４１が配置される位置に対向するカバー本体３の側面部３３の内側面３３１に配置される。被係合部４２は、係合部４１よりも大きな面積を有する。被係合部４２は、複数のループにより構成される。
【００３０】
図３は、本実施形態の配管カバー１を取り付ける途中の状態を示す概略図である。図３以降において、固定部材４の係合部４１及び被係合部４２は、模式的に示されている。
図３に示すように、固定具２の保持部２４は、壁面１１に固定されていない。保持部２４は、取り付け部２１から連続するばね鋼で形成されているので、壁面１１から遠ざかる方向に移動させることができる。このため、固定具２の上部と壁面１１との間に、延出部３４を差し込み可能な溝６が形成される。詳細には、溝６は、跳ね上がり部２４１及び付勢部２４２の壁面１１側の面と、壁面１１との間に形成されている。この溝６に、カバー本体３の延出部３４を差し込む。
【００３１】
延出部３４を溝６に差し込むことで、保持部２４を壁面１１から遠ざかる方向へ押すと、保持部２４は、ばね鋼の弾性力により、延出部３４を壁面１１側へ付勢する。このため、溝６に差し込まれた延出部３４は、保持部２４により保持されるとともに、壁面１１側へ付勢される。詳細には、延出部３４は、跳ね上がり部２４１の取り付け部２１側の端部２４１ａにより壁面１１側へ付勢される。カバー本体３の上端部側に位置する延出部３４は、保持部２４により溝６に差し込まれた状態で保持される。このため、まずカバー本体３が配管１０を覆った状態が保持される。このように、カバー本体３は、固定具２により固定される。
【００３２】
図４は、配管カバー１を取り付けた後の状態を示す概略図である。
図４に示すように、固定具２における立ち上がり部２３の外側面２３１には、固定部材４の係合部４１が配置されている。そして、延出部３４が溝６に差し込まれて保持部２４により保持された状態において、立ち上がり部２３の外側面２３１に対向するカバー本体３の側面部３３の内側面３３１には、被係合部４２が配置されている。このため、延出部３４の近傍を中心として、カバー本体３を下方に回転させるように移動させて固定具２を覆うと、被係合部４２が係合部４１に係合する。被係合部４２の面積は、係合部４１よりも大きく形成されているので、設置の際に若干の位置ずれがあったとしても、被係合部４２の位置をずらすことで対応できる。カバー本体３と固定具２とが当接する部分に固定部材４が配置されているので、誤ってカバー本体３の外側から配管１０を押しても、固定部材４により緩衝される。
【００３３】
カバー本体３の側面部３３の壁面１１に沿う方向の長さは、固定具２の壁面に沿う方向（長手方向）の長さよりも長く形成され、固定具２における第１配管支持部２２１の下面と、底面部３２との間に隙間Ｓ２が形成されている。この隙間Ｓ２は、延出部３４を溝６に差し込むために、延出部３４の下端部側を溝６の上方に位置させるときに、少なくとも延出部３４の上下方向の長さの分、固定具２の底面部とカバー本体３の底面部３２との間に必要な距離を有するように構成されている。このため、カバー本体３を上方へ持ち上げて延出部３４を溝６に差し込むことができる。図３に示すように、カバー本体３を溝６に差し込んでいる途中では、隙間Ｓ２の上下方向の距離は短くなっているが、図４に示すように、カバー本体３が保持部２４に保持された状態では、隙間Ｓ２の上下方向の距離は長くなる。なお、隙間Ｓ２は、カバー本体３を延出部３４近傍から回転させるように被せる際に、カバー本体３が固定具２にぶつからないようにするための被せしろにもなる。
【００３４】
カバー本体３の底面部３２の壁面１１側の端部には、断面視半球状の突起部３５が形成されている。このため、配管１０や固定具２が結露し、雫が底面部３２に落ちて溜まっても、底面部３２から水が下方に垂れ落ちることが防止される。
【００３５】
図５は、配管カバー１を取り付ける前の状態を示す斜視図である。
図５に示すように、固定具２の配管支持部２２は、上下方向に高さの異なる第１配管支持部２２１及び第２配管支持部２２２を有している。そして、２つの固定具が、水平方向に離間して配置されている。配管１０は、２つの固定具２の第２配管支持部２２２の上に載置された後、下流側に位置する固定具２において、配管を第２配管支持部２２２と取り付け部２１の間の隙間Ｓ１に押し込んで、第１配管支持部２２１の上に移動させる。このように、配管１０を一方の固定具２の第２配管支持部２２２に載置し、他方の固定具２の第１配管支持部２２１に載置することで、配管１０に勾配が形成され、水が下方へ流れる。
【００３６】
カバー本体３の側面部３３の壁面に沿う方向の長さは、固定具２の長手方向の長さよりも長い。また、カバー本体３は、固定具２の上方に形成される保持部２４と壁面１１との間の溝６に、カバー本体３の上部に形成される延出部３４が差し込まれ、保持部２４により差し込まれた状態が保持されている。このため、配管１０が傾斜して配置されていても、カバー本体３を水平に配置することができ、配管１０の傾斜が隠ぺいされる。また、突起部３５は半球状であるため、壁面１１に当接しても、壁面１１を傷つけない。
【００３７】
図６は、本実施形態の配管カバー１を備える手洗い器付き便器５の概略図である。手洗い器付き便器５は、便器５２と、タンク５３（図示せず）を収容する収容キャビネット５４と、手洗い器５１と、カウンター５５と、ペーパーホルダー５６と、配管１０と、配管カバー１と、を備える。
【００３８】
便器５２は、便器本体５２１及び蓋５２２を有する。便器本体５２１は、人間が腰かける座面部５２３と排泄物を受け止める凹部５２４とにより構成されており、凹部５２４は図示しない排水管へと連続している。蓋５２２は、座面部５２３及び凹部５２４を覆っている。
【００３９】
収容キャビネット５４は、内部にタンク５３を収容して隠ぺいする戸棚である。収容キャビネット５４は、便器５２の背後に配置されている。収容キャビネット５４は、前面における便器５２の右側に開閉可能な扉５４１を有する。タンク５３は、便器５２を洗浄するための水を貯留する容器である。
【００４０】
手洗い器５１は、便器５２と離隔した位置に配置されている。手洗い器５１は、水栓５１１と、手洗い器本体５１２と、手洗い器排水管５１３と、排水トラップ５１４と、を有する。
水栓５１１は、図示しない配管から水の供給を受けて水を吐出する蛇口である。
手洗い器本体５１２は、上部が開口した箱状の形状を有し、水栓５１１から吐出された水で手を洗う容器である。
手洗い器排水管５１３は、手洗い器本体５１２から排出された水を配管１０へ送る管である。
排水トラップ５１４は、手洗い器排水管５１３と配管１０との間に配置されて、ごみや悪臭を放つ成分が配管１０へ流入することを防ぐ封水のための設備である。
【００４１】
カウンター５５は、手洗い器５１と収容キャビネット５４との間に渡されるように配置されている。カウンター５５は、配管１０の上方に配置される。
【００４２】
ペーパーホルダー５６は、カウンター５５と配管１０との間に配置され、カウンター５５の下面に取り付けられている。
【００４３】
配管１０は、カウンター５５及びペーパーホルダー５６の下方に配置される。配管１０は、手洗い器５１から排出された水を、便器５２側へ向かって下り傾斜することにより便器５２が配置されている方向へ流す。配管１０は、収容キャビネット５４の内部を通って
図示しない排水管へ接続されている。
配管カバー１は、傾斜して配置される配管１０の外側を覆っている。
【００４４】
固定具２は、手洗い器５１と収容キャビネット５４との間に、互いに水平方向に離間して２つ配置される。この固定具２に設けられた高さの異なる第１配管支持部２２１及び第２配管支持部２２２に、配管１０が載置されて支持される。
【００４５】
以上の便器５２と手洗い器５１とが離隔して配置される手洗い器付き便器５において、便器５２と手洗い器５１との間の壁面１１に沿って設置される配管１０が、配管カバー１における２つの固定具２の配管支持部２２により支持されている。配管１０は、上流側の固定具２における上方の第２配管支持部２２２と、下流側の固定具２における下方の第１配管支持部２２１に載置される。このため、上流側から下流側へ配管１０に勾配が形成され、手洗い器５１から吐出される水が下方へ流れ、最終的には排水管へと導かれる。一方、配管カバー１のカバー本体３は水平に配置されるので、配管１０の傾斜が外部から視認されない。また、カバー本体３により配管１０の周囲が覆われるため、配管１０の周囲と外気との気温差が小さくなり、結露しにくい。
【００４６】
本実施形態によれば、以下の効果が奏される。
本実施形態では、壁面１１に沿って設置される配管１０を覆う配管カバー１を、壁面１１側に開口するカバー本体３と、壁面１１に取り付けられ、カバー本体３を固定する固定具２と、を含んで構成した。また、カバー本体３の上部に、下方に延出する延出部３４を設け、壁面１１に取り付けられる固定具２の上部又は固定具２の上部と壁面１１との間に、延出部３４を差し込み可能な溝６を形成した。
【００４７】
本実施形態によれば、固定具２の上部に形成する溝６又は固定具２の上部と壁面１１との間の溝６に、延出部３４を差し込むことでカバー本体３を取り付けられるので、取り付け時にカバー本体３を大きく変形させる必要がなく、カバー本体３を容易かつ安定して取り付けることができる。
【００４８】
また本実施形態では、固定具２に、溝６に差し込まれた延出部３４を保持する保持部２４を設けた。
これにより、延出部が固定具の保持部により保持されるので、カバー本体３を容易かつ安定して取り付けることができる。
【００４９】
また本実施形態では、固定具２の上部と壁面１１との間に溝６を形成し、保持部２４が壁面１１側に弾性変形可能であることにより、延出部３４を壁面１１側に付勢するように構成した。
これにより、配管カバー１の延出部３４が壁面１１側に付勢されるため、配管カバーがより安定して取り付けられる。
【００５０】
また本実施形態では、固定具２を、壁面１１に取り付けられる取り付け部２１と、取り付け部２１から延出する配管支持部２２と、を含んで構成した。
これにより、固定具２は、カバー本体３を固定するとともに、配管１０を壁面１１に取り付けて支持することができる。したがって、配管１０の設置と配管カバー１の設置を一連の作業で行うことができ、施行性が向上する。
【００５１】
また本実施形態では、固定具２を、配管支持部２２の先端側から立ち上がる立ち上がり部２３をさらに含んで構成した。また、立ち上がり部２３の外側面２３１と、延出部３４が溝６に差し込まれた状態において外側面２３１に対向するカバー本体３の内側面３３１とに、互いを着脱自在に固定する固定部材４を取り付けた。
これにより、固定具２の上部側で固定されるカバー本体３が、組み付け誤差等により位置ずれすることなく、固定部材４により安定して固定される。特に、環境温度の変化によってカバー本体３を構成する樹脂が伸縮して変形した場合であっても、上記固定部材４によりその位置ずれを吸収できる。
【００５２】
また本実施形態では、延出部３４が溝６に差し込まれた状態において、固定具２の底面部とカバー本体３の底面部３２との間に隙間Ｓ２を形成した。
これにより、延出部３４を固定具２の上方に配置される溝６に差し込んで、固定具２を覆う際、カバー本体３の下方の端部が固定具２にぶつからずに固定具２の底面部の下方へ位置し、カバー本体３により固定具２の全体を覆うことができる。
【００５３】
また本実施形態では、便器５２と、便器５２と離隔した位置に配置される手洗い器５１と、を備える手洗い器付き便器５の配管１０に、本実施形態の配管カバー１を取り付けた。
これにより、手洗い器付き便器５の配管１０を容易に覆うことができ、美観及び安全性を向上させることができる。
【００５４】
なお、本発明は上記実施形態に限定されるものではなく、本発明の目的を達成できる範囲での変形、改良等は本発明に含まれる。
【００５５】
図７は、上記実施形態の変形例に係るカバー本体３Ａを示す断面図である。被係合部４２は省略して示されている。変形例に係るカバー本体３Ａは、内側部３３１Ａと、外側部３３２と、補強部３３３と、有し、内部が中空の中空部材で形成されている点で上記の実施形態と異なる。
【００５６】
内側部３３１Ａ及び外側部３３２は、カバー本体３Ａの表面と裏面とを構成する面状の部材である。内側部３３１Ａ及び外側部３３２は、互いにわずかに間を開けて配置され、内側部３３１Ａと外側部３３２との間に空間が形成されている。補強部３３３は、この空間内で、内側部３３１Ａと外側部３３２とを部分的に接続している。
【００５７】
変形例に係るカバー本体３Ａによれば、カバー本体３Ａの内側と外側の断熱効果が向上する。このため、カバー本体３Ａが固定具２及び固定具２に支持される配管１０を覆う際に、配管１０の結露が防止される。また、内側部３３１Ａと外側部３３２との間に補強部３３３が形成されているため、配管カバー１の外部から配管へ向けて大きな力が加わった場合に、配管を保護する力が上記の実施形態における配管カバー１よりも強い。
【００５８】
また、上記の実施形態では、固定具２の上部と、壁面１１との間に形成される溝６にカバー本体３の延出部３４が差し込まれるが、これに限られない。例えば、固定具の上部に、延出部を差し込み可能な溝やスリットを形成し、固定具の上部に形成した溝に延出部を差し込むように構成してもよい。
【００５９】
また、上記の実施形態では、固定具２の配管支持部２２は、第１配管支持部２２１と第２配管支持部２２２を有しているが、これに限られない。配管支持部は、第１配管支持部のみを有し、配管は他の構成により傾斜させるものとしてもよい。
【００６０】
また、上記の実施形態では、固定具２は金属製、カバー本体３は樹脂製としたが、これに限られない。固定具及びカバー本体の素材は特に限定されない。
【００６１】
また、上記の実施形態では、固定部材４は、複数のフックの係合部４１と、複数のループの被係合部４２とにより構成される面ファスナーが用いられているが、これに限られない。面ファスナーは、係合部及び被係合部の両方が、面状の基部から延びる茎状の部分と、この茎状の部分の先端に形成される半球状の突起とを複数有するように構成されていてもよい。この構成によれば、係合部の半球状の突起が、被係合部の半球状の突起と突起の間に係合することで互いが係止される。
また、固定部材は、面ファスナーに限られず、磁石や接着剤、接着テープであってもよい。固定部材は、立ち上がり部の外側面とカバー本体の内側面とを固定することができれば、構成は特に限定されない。
【００６２】
また、上記の実施形態では、カバー本体３は、一方が開口した四角い形状を有して形成されているが、これに限られない。カバー本体は、断面視が半円であってもよい。カバー本体は、配管１０及び固定具２を覆うことができれば形状は限定されない。
【符号の説明】
【００６３】
１    配管カバー
２    固定具
３    カバー本体
４    固定部材
５    手洗い器付き便器
６    溝
２１  取り付け部
２２  配管支持部
２３  立ち上がり部
２４  保持部
３２  底面部
３４  延出部
【図１】
2015183812.tif 000003
【図２】
2015183812.tif 000004
【図３】
2015183812.tif 000005
【図４】
2015183812.tif 000006
【図５】
2015183812.tif 000007
【図６】
2015183812.tif 000008
【図７】
2015183812.tif 000009